(57)【要約】      （修正有）【課題】放熱管に導熱部が設けられ、導熱部の両端には可撓性を有する第一連結部と第二連結部が形成され、導熱部はケーシングの開口に相対して開閉することにより、給水機の洗浄または補修の作業が簡単になり、分解の作業が簡単になる。【解決手段】ケーシング１には内部空間１１と開口１２が形成され、開口１２は内部空間１１と連結すると共に、ケーシング１の一方に位置するように形成される。タンクユニット２とコンプレッサー３は内部空間１１に収容される。放熱管４には導熱部４１が設けられ、導熱部４１の両端には可撓性を有する第一連結部４２と第二連結部４３が形成されることにより、導熱部４１はケーシング１の開口１２に対して開閉することができるため、内部空間１１に収容されるタンクユニット２とコンプレッサー３を簡単に分解して洗浄することができるように構成されている。【選択図】図２
0003141563.tif 000002
【実用新案登録請求の範囲】
【請求項１】
ケーシング（１）、タンクユニット（２）、コンプレッサー（３）および放熱管（４）が含まれる簡易分解式給水機であって、ケーシング（１）には内部空間（１１）と開口（１２）が形成され、開口（１２）は内部空間（１１）と連結すると共に、ケーシング（１）の一方に位置するように形成され、タンクユニット（２）は内部空間（１１）に収容され、タンクユニット（２）は少なくとも一個のタンクからなり、コンプレッサー（３）は内部空間（１１）に収容され、コンプレッサー（３）には冷却管（３１）が設けられ、コンプレッサー（３）は冷却管（３１）により前記タンクの外側に結合され、放熱管（４）には導熱部（４１）が設けられ、導熱部（４１）の両端には可撓性を有する第一連結部（４２）と第二連結部（４３）が形成され、第一連結部（４２）および第二連結部（４３）はそれぞれ冷却管（３１）およびコンプレッサー（３）と連結することにより、導熱部（４１）はケーシング（１）の開口（１２）に対して開閉することを特徴とする簡易分解式給水機。
【請求項２】
放熱管（４）の導熱部（４１）には複数個の導熱部材（４１１）が結合されることを特徴とする請求項１記載の簡易分解式給水機。
【請求項３】
ケーシング（１）の開口（１２）の周囲には複数個の固定孔（１３）が設けられ、導熱部材（４１１）には固定孔（１３）に対応するように複数個の固定片（４１２）が設けられることにより、複数個の固定部材（５）は固定片（４１２）と固定孔（１３）を穿設して結合することを特徴とする請求項１または２記載の簡易分解式給水機。
【請求項４】
第一連結部（４２）と第二連結部（４３）はそれぞれケーシング（１）の内部に固定されることを特徴とする請求項１、２または３記載の簡易分解式給水機。
【考案の詳細な説明】
【技術分野】
【０００１】
本考案は、給水装置に関するもので、特に飲用水を提供するのに用いられる簡易分解式給水機に係るものである。
【背景技術】
【０００２】
従来の給水機の構造としては、中華民国新型公告第Ｍ３０５３２２号「給水機」においては、冷熱交換タンクおよび冷却装置が含まれる。前記冷熱交換タンクには少なくとも一個の進水口と少なくとも一個の排水口が含まれ、前記冷却装置には氷水タンクが含まれ、前記氷水タンクには排水口と進水口が設けられることにより、それぞれ前記冷熱交換タンクの進水口と排水口とを連結するように形成される。これにより、前記冷却装置の内の飲用水は前記冷熱交換タンクを経て循環を行うことにより、飲用水を冷却することができるようにとしたものがある（例えば、特許文献１を参照）。
【０００３】
また、従来の給水機の構造としては、図３に示すように給水機にはケーシング９１、底座９２、タンクユニット９３、コンプレッサー９４および放熱パイプ９５が含まれる。底座９２は複数個の固定部材９２１によりケーシング９１の底部に結合される。タンクユニット９３とコンプレッサー９４は底座９２の上に設置され、タンクユニット９３とコンプレッサー９４はケーシング９１の内部に収容され、タンクユニット９３は複数個のタンク（例えば冷水タンクまたは熱水タンク等）により構成され、前記各タンクはそれぞれ冷水または熱水等の飲用水を収容するのに用いられ、前記各タンクの間には複数個の管路により連通され、さらに前記各タンクは排水口まで連結され、前記排水口から前記タンク内の飲用水を飲用することができる。また、放熱パイプ９５の両端はコンプレッサー９４と連結し、そして放熱パイプ９５はタンクユニット９３の外側に結合されると共に、放熱パイプ９５はタンクユニット９３とコンプレッサー９４の一方に位置するように形成される。これにより、コンプレッサー９４の内の冷却剤は放熱パイプ９５を流れてタンクユニット９３の冷水タンクの内の飲用水に対して温度を下げ、それから前記冷却剤は直ちにコンプレッサー９４まで流れ戻して温度を下げることにより、冷却した飲用水を提供することができるようにとしたものがある。
【特許文献１】中華民国新型公告第Ｍ３０５３２２号
【考案の開示】
【考案が解決しようとする課題】
【０００４】
上記のような従来の給水機の構造においては、一般として下記の問題点を有している。例えば、前記給水機を洗浄または補修しようとする時、前記給水機のケーシングを複数個の部品に分解しなければならず、また、前記給水機の内部の部材について洗浄または補修を行わなければならないため、使用上においては大変不便になるという問題点を有しており、そのために給水機のケーシングをケーシング体と底座に分解し易いように設計しなければならない。
【０００５】
また、上記のような従来の給水機の構造においては、一般として下記の問題点を有している。例えば、前記給水機を洗浄または補修しようとする時、先ず工具を利用して前記各固定部材９２１を取り外すことにより、前記給水機のケーシング９１と底座９２を分離させ、そして洗浄または補修を行ってから、再び新たにケーシング９１と底座９２を組み立て、最後に各固定部材９２１により固定を行うことができる。このように、上述した分解と組立の過程において相当時間が掛かるため、洗浄時または補修時において大変不便になるという問題点を有している。このように、前記のような従来の給水機の構造をさらに改良しなければならない。
【０００６】
本考案の第一の目的は、放熱管には導熱部が設けられ、前記導熱部の両端には可撓性を有する第一連結部と第二連結部が形成され、前記導熱部はケーシングの開口に相対して開閉することにより、給水機の洗浄または補修の作業が簡単になるため、分解の作業を簡単化することができる簡易分解式給水機を提供しようとするものである。
【０００７】
本考案の第二の目的は、第一連結部と第二連結部には導熱部を開けるための余分の長さが形成されることにより、前記導熱部を開ける自由性を提供することができるため、使用上の便利性を高めることができる簡易分解式給水機を提供しようとするものである。
【課題を解決するための手段】
【０００８】
上記目的を達成するために、本考案による簡易分解式給水機は、下記のようになるものである。すなわち、
ケーシング、タンクユニット、コンプレッサーおよび放熱管が含まれる。ケーシングには内部空間と開口が形成され、開口は内部空間と連結すると共に、ケーシングの一方に位置するように形成される。タンクユニットは内部空間に収容され、タンクユニットは少なくとも一個のタンクからなる。コンプレッサーは内部空間に収容される。コンプレッサーには冷却管が設けられ、コンプレッサーは冷却管により前記タンクの外側に結合される。放熱管には導熱部が設けられ、導熱部の両端には可撓性を有する第一連結部と第二連結部が形成され、第一連結部および第二連結部はそれぞれ冷却管およびコンプレッサーと連結することにより、導熱部はケーシングの開口に対して開閉する。
【０００９】
本考案による簡易分解式給水機は、放熱管の導熱部には複数個の導熱部材が結合されることもできる。また、ケーシングの開口の周囲には複数個の固定孔が設けられ、導熱部材には固定孔に対応するように複数個の固定片が設けられることにより、複数個の固定部材は固定片と固定孔を穿設して結合することもできる。また、第一連結部と第二連結部はそれぞれケーシングの内部に固定されることもできる。
【考案の効果】
【００１０】
本考案の簡易分解式給水機によれば、放熱管には導熱部が設けられ、前記導熱部の両端には可撓性を有する第一連結部と第二連結部が形成され、前記導熱部はケーシングの開口に相対して開閉することにより、給水機の洗浄または補修の作業が簡単になるため、分解の作業を簡単化することができるという利点がある。
【００１１】
本考案の簡易分解式給水機によれば、第一連結部と第二連結部には導熱部を開けるための余分の長さが形成されることにより、前記導熱部を開ける自由性を提供することができるため、使用上の便利性を高めることができるという利点がある。
【考案を実施するための最良の形態】
【００１２】
本考案の実施の形態について、以下、図面を参照して説明する。
【００１３】
図１、２を参照すると、本考案の実施例の簡易分解式給水機にはケーシング１、タンクユニット２、コンプレッサー３および放熱管４が含まれる。ケーシング１はタンクユニット２とコンプレッサー３を収容するのに用いられる。タンクユニット２は冷水または熱水等の飲用水を装填するのに用いられる。コンプレッサー３はタンクユニット２の内の前記飲用水を冷却するのに用いられる。放熱管４はコンプレッサー３の内の冷却剤が放熱を行うのに用いられる。
【００１４】
ケーシング１には内部空間１１、開口１２と複数個の固定孔１３が設けられる。内部空間１１はタンクユニット２とコンプレッサー３を収容するのに用いられる。開口１２はケーシング１の一方に位置するように形成され、そして開口１２は内部空間１１と連通するように形成される。固定孔１３は開口１２の周囲に設置され、固定孔１３により放熱管４を開口１２の上に固定することができる。
【００１５】
タンクユニット２は内部空間１１の上部に位置するように形成され、そしてタンクユニット２には複数個のタンク（冷水タンクまたは熱水タンク等）が含まれて冷水または熱水等の飲用水を収容することができ、さらに前記各タンクは複数個の管路（図示せず）により互いに連通するように形成される。
【００１６】
コンプレッサー３は内部空間１１の底部に位置するように形成され、そしてコンプレッサー３には冷却管３１が設けられ、冷却管３１は少なくとも一個のタンク（例えば冷水タンク）の外側に結合されることにより、コンプレッサー３は冷却管３１によりタンクユニット２の内の飲用水を冷却することができる。
【００１７】
放熱管４はケーシング１の一方に結合され、放熱管４には導熱部４１、第一連結部４２と第二連結部４３が設けられる。導熱部４１は好ましくは選択的に連続の波形からなり、そして開口１２に相対して開閉することができるように形成される。導熱部４１は複数個の導熱部材４１１を結合することができ、そして導熱部材４１１は好ましくは選択的に片状体または桿体からなるため、放熱管４の全体の放熱の面積を増やすことができる。導熱部材４１１の周縁には複数個の固定片４１２が設けられ、固定片４１２はケーシング１の固定孔１３に対応するように形成されるため、複数個の固定部材５によりケーシング１の固定孔１３と導熱部材４１１の固定片４１２を組み立てることができる。
【００１８】
第一連結部４２と第二連結部４３は導熱部４１の両端に形成され、その内に第一連結部４２は冷却管３１と連通し、そして第二連結部４３はコンプレッサー３と連通することにより、冷却剤はコンプレッサー３、冷却管３１および放熱管４の間に循環して流れるように形成される。第一連結部４２と第二連結部４３は可撓性を有するものからなり、そして第一連結部４２と第二連結部４３には導熱部４１を開けるための余分の長さが形成されることにより、導熱部４１は活動自在に開口１２に対して開閉を行うことができる。また、第一連結部４２と第二連結部４３はそれぞれケーシング１の内面に固定され、図２に示すように、好ましくは選択的に二個の結合部材４３１を利用して第一連結部４２と第二連結部４３をそれぞれケーシング１の内面に固定したり、または第一連結部４２と第二連結部４３をケーシング１の内面に直接溶接して固定したりすることにより、導熱部４１が開閉する時に第一連結部４２と冷却管３１との連結を破壊したり、または第二連結部４３とコンプレッサー３との連結を破壊したりすることがない。
【００１９】
再び図１、２を参照すると、本考案の実施例の簡易分解式給水機を分解して洗浄しようとする時、固定部材５を固定片４１２と固定孔１３から取り外し、導熱部４１とケーシング１を互いに分離させ、それから開口１２の一方から直接導熱部４１を開ける。第一連結部４２は冷却管３１と導熱部４１との間に連結され、そして第二連結部４３はコンプレッサー３と導熱部４１との間に連結されることにより、さらに第一連結部４２と第二連結部４３は可撓性と余分の長さを有するように形成されることにより、導熱部４１を開けるための自由性を提供することができ、導熱部４１がケーシング１の開口１２に相対して簡単に開けることができるため、簡易分解式給水機の内部の部品を簡単に洗浄したり補修したりすることができる。洗浄または補修を終えた後、再び第一連結部４２と第二連結部４３の可撓性を利用して導熱部４１を新たに元へ戻すことにより、導熱部４１はケーシング１の開口１２に相対して閉めるようになり、それから新たに導熱部４１とケーシング１を組み立て、固定部材５を利用して固定片４１２と固定孔１３を結合することにより、本簡易分解式給水機の組立を完成することができる。
【産業上の利用可能性】
【００２０】
上述の如く、従来の給水機の構造によれば、給水機を洗浄または補修しようとする時、給水機のケーシングを複数個の部品に分解しなければならず、それから給水機の内部の部材に対して洗浄または補修を行わなければならないため、使用上においては大変不便になるという問題点があり、また、図３に示す従来の給水機の構造によれば、給水機を洗浄または補修しようとする時、先ず工具を利用して各固定部材９２１を取り外すことにより、給水機のケーシング９１と底座９２を分離させ、そして洗浄または補修を行ってから、再び新たにケーシング９１と底座９２を組み立て、最後に各固定部材９２１により固定を行うことができ、このように上述した分解と組立の過程において相当時間が掛かるため、洗浄時または補修時において大変不便になるという問題点があったが、図１に示す本考案の簡易分解式給水機によれば、固定元件５を取り外すことによって導熱部４１とケーシング１を互いに分離させ、それから開口１２の一方から直接導熱部４１を開け、導熱部４１の両端に形成される可撓性を有する第一連結部４２と第二連結部４３がそれぞれ冷却管３１とコンプレッサー３に連結されることにより、導熱部４１はケーシング１の開口１２に相対して開けることができ、そして洗浄または補修を終えてから、再び第一連結部４２と第二連結部４３の可撓性を利用して導熱部４１を新たに元へ戻すことにより、導熱部４１はケーシング１の開口１２に相対して閉めるように形成され、それから各固定部材５を利用して結合を行うことにより、ケーシング１を分解することなく内部空間１１に収容されるタンクユニット２とコンプレッサー３を洗浄また補修することができるため、確実に分解の作業を簡単化することができると共に、使用上の便利性を高めることができる。
【００２１】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本考案の実施例の簡易分解式給水機による組み立てられた状態を示す斜視図である。
【図２】本考案の実施例の簡易分解式給水機による導熱部が開いた状態を示す説明図である。
【図３】従来の給水機の分解斜視図である。
【符号の説明】
【００２３】
１    ケーシング                    １１    内部空間
１２    開口                          １３    固定孔
２    タンクユニット                  ３    コンプレッサー
３１    冷却管                          ４    放熱管
４１    導熱部                      ４１１    導熱部材
４１２    固定片                        ４２    第一連結部
４３    第二連結部                  ４３１    結合部材
５    固定部材
９１    ケーシング                    ９２    底座
９２１    固定部材                      ９３    タンクユニット
９４    コンプレッサー                ９５    放熱パイプ
【図１】
0003141563.tif 000003
【図２】
0003141563.tif 000004
【図３】
0003141563.tif 000005